(57)【要約】【課題】油膜を十分に形成できない境界潤滑から混合潤滑領域の潤滑条件下で稼働する回転軸受の長寿命化を可能とすること。【解決手段】連続鋳造装置のロール４を支持するために用いられ、ころ３を介してロールと対向する内側面に複数のミクロプール１２を備える回転軸受１であって、周囲の一部に切削による返りを備えたミクロプールを、プール径が100μｍ以上200μｍ以下となるように形成する。【選択図】図８
2020085024.tif 000002
【特許請求の範囲】
【請求項１】
連続鋳造装置のロールを支持するために用いられ、ころを介してロールと対向する内側面に複数のミクロプールを備える回転軸受であって、
周囲の一部に切削による返りを備えたミクロプールを、プール径が100μｍ以上200μｍ以下となるように形成したことを特徴とする回転軸受。
【請求項２】
作用面積率が15％以上25％以下となるようにミクロプールを形成した請求項１に記載の回転軸受。
【請求項３】
全てのミクロプールが、ころの移動方向側に返りが形成されるように切削されることで形成された請求項１又は２に記載の回転軸受。
【請求項４】
連続鋳造装置のロールを支持するために用いられ、ころを介してロールと対向する内側面に複数のミクロプールを備える回転軸受の製造方法であって、
切削用突起を回動させることにより、プール径が100μｍ以上200μｍ以下となるように、ミクロプールを形成することを特徴とする回転軸受の製造方法。
【請求項５】
作用面積率が15％以上25％以下となるようにミクロプールを形成する請求項４に記載の回転軸受の製造方法。
【請求項６】
全てのミクロプールについて、ころの移動方向側に返りが形成されるように切削する請求項４又は５に記載の回転軸受の製造方法。
【発明の詳細な説明】
【技術分野】
【０００１】
本発明は、油膜を十分に形成できない境界潤滑から混合潤滑領域の潤滑条件下で稼働する回転軸受及び回転軸受の製造方法に関する。
【背景技術】
【０００２】
図１２に示すように、油膜厚などの違いから、境界潤滑や混合潤滑や流体潤滑といった状態に分けることができる。通常の軸受は高速回転軸受に該当し、油膜厚が十分確保されているため、金属接触が起こらない。したがって、摩耗は比較的小さい。一方、連続鋳造用のロールの軸受に代表される低速回転軸受は、混合潤滑状態若しくは境界潤滑状態となっていることから、金属接触を伴う。このため、低速回転軸受は、摩耗しやすいという課題を抱えている。低速回転軸受の劣化は、転送面の摩耗が支配的であるため、摩耗を放置すると軸受の割損を引き起こす。そのため、連続鋳造用ロールの軸受は、短い周期でオーバーホールを実施する必要がある。このため、軸受けの寿命を飛躍的に伸ばし、オーバーホール周期を長くすることが課題となっている。そこで、特許文献１に記載されているように、ミクロプールを形成した軸受が開発されている。
【先行技術文献】
【特許文献】
【０００３】
【特許文献１】特開２０１０−２６６０４０号公報
【０００４】
しかしながら、特許文献１に記載されている技術では、ミクロプールはショットブラストにより形成されている。このためミクロプールの位置や径などを高精度に制御することは困難であり、軸受転送面の摩耗量低減効果は限定的であった。一方、本発明者は、ミクロプールを適切に設けることで、より効果を発揮できるのではないかと考えた。
【発明の概要】
【発明が解決しようとする課題】
【０００５】
本発明は、このような背景でなされた発明であり、本発明の課題は、油膜を十分に形成できない境界潤滑から混合潤滑領域の潤滑条件下で稼働する回転軸受の長寿命化である。
【課題を解決するための手段】
【０００６】
上記課題を解決するため、連続鋳造装置のロールを支持するために用いられ、ころを介してロールと対向する内側面に複数のミクロプールを備える回転軸受であって、
周囲の一部に切削による返りを備えたミクロプールを、プール径が100μｍ以上200μｍ以下となるように形成したことを特徴とする回転軸受とする。
【０００７】
また、作用面積率が15％以上25％以下となるようにミクロプールを形成した構成とすることが好ましい。
【０００８】
また、全てのミクロプールが、ころの移動方向側に返りが形成されるように切削されることで形成された構成とすることが好ましい。
【０００９】
また、連続鋳造装置のロールを支持するために用いられ、ころを介してロールと対向する内側面に複数のミクロプールを備える回転軸受の製造方法であって、切削用突起を回動させることにより、プール径が100μｍ以上200μｍ以下となるように、ミクロプールを形成することを特徴とする回転軸受の製造方法とする。
【００１０】
また、作用面積率が15％以上25％以下となるようにミクロプールを形成することが好ましい。
【００１１】
また、全てのミクロプールについて、ころの移動方向側に返りが形成されるように切削することが好ましい。
【発明の効果】
【００１２】
本発明を用いると、油膜を十分に形成できない境界潤滑から混合潤滑領域の潤滑条件下で稼働する回転軸受の長寿命化が可能となる。
【図面の簡単な説明】
【００１３】
【図１】転走面にミクロプールが千鳥状に配置されていることを表す図である。
【図２】ころと、外輪と、それらの間に位置する油の関係を側面から見た状態を表すイメージ図である。
【図３】切削加工工具の斜視図である。
【図４】切削加工工具を用いてミクロプールを形成する流れを表す図である。
【図５】外輪の中心からミクロプールを見た状態を表す図である。
【図６】プール径と摩耗量の関係を表すグラフである。
【図７】作用面積率と摩耗量との関係を表すグラフである。
【図８】切削方向Ａにより形成された返りの位置を表す図である。
【図９】切削方向Ｂにより形成された返りの位置を表す図である。
【図１０】切削方向Ａを採用した場合と切削方向Ｂを採用した場合のそれぞれについて、転走面位置と摩耗深さとの関係を示したグラフである。
【図１１】切削方向Ａを採用した場合と切削方向Ｂを採用した場合の摩耗体積を表したグラフである。
【図１２】油膜パラメータと摩擦係数の関係を示す図である。ただし、油膜パラメータの値と潤滑状態の関係を上部に記し、回転軸受の使用形態例について下部に記している。
【発明を実施するための形態】
【００１４】
以下に発明を実施するための形態を示す。本実施形態の回転軸受１は、連続鋳造装置のロール４を支持するために用いられ、ころ３を介してロール４と対向する内側面に複数のミクロプール１２を備える。また、この回転軸受１は、周囲の一部に切削による返り１３を備えたミクロプール１２を、プール径が100μｍ以上200μｍ以下となるように形成している。このため、油膜を十分に形成できない境界潤滑から混合潤滑領域の潤滑条件下で稼働する回転軸受１の長寿命化が可能となる。
【００１５】
また、実施形態の回転軸受１の製造方法は、連続鋳造装置のロール４を支持するために用いられ、ころ３を介してロール４と対向する内側面に複数のミクロプール１２を備える回転軸受１を製造するための方法であり、切削用突起７１を回動させることにより、プール径が100μｍ以上200μｍ以下となるように、ミクロプール１２を形成するものである。このため、油膜を十分に形成できない境界潤滑から混合潤滑領域の潤滑条件下で稼働する回転軸受１の長寿命化が可能となる。
【００１６】
回転軸受１は、自動調心ころ軸受であり、ロール４と対向する内側面に形成された軸受転走面１１に多数のミクロプール１２を備えている。図１及び図２に示すことから理解されるように、これらのミクロプール１２は内部に油を保持することができる。圧力が加えられた油は、固化作用により、ころ３と外輪２との金属接触を抑制する。
【００１７】
図３及び図４に示すことから理解されるように、実施形態のミクロプール１２は、側方に切削用突起７１を備えた棒７２として形成した切削加工工具７を回動させることにより、切削して形成する。この加工は、切削加工痕を任意に配置できることから、一定形状のタイルを貼り付けた模様になぞらえて  タイリング加工  と称する場合もある。切削用突起７１は棒７２の中心軸を中心とした弧を描くように動くことで、ミクロプール１２を形成するものであり、その結果、ミクロプール１２の周囲の一部には、返り１３が形成される。この返り１３は、外輪２を削る切削用突起７１が外輪２と離れる側に形成される。
【００１８】
このようにしてミクロプール１２を形成するため、切削用突起７１を適切に配置してから、回動させれば、希望する箇所にミクロプール１２を形成することができる。また、希望しない箇所にミクロプール１２を形成しないようにすることができる。更には、ミクロプール１２の大きさなども精度よく調整することができる。つまり、ミクロプール１２を希望通りに精度よく形成することができる。なお、ショットブラストは、球状物などをランダムに噴射して、衝突箇所を変形させるものであるため、このような意図した配置精度でミクロプール１２を形成することはできない。
【００１９】
実施形態の切削用突起７１は円弧状となる部分を備えるものであり、ミクロプール１２は、断面円弧状となるように形成されている。また、図５に示すことから理解されるように、外輪２の中心からミクロプール１２を見たとき、ミクロプール１２は円形状となるように形成されている。この円の直径であるプール径が過大となると、ミクロプール１２内の油の流出量が増加し、油の固化作用が小さくなることが想定される。また、プール径が過小となると、加工治具の制約により切削加工が不能となることが考えられる。このようなことから、摩耗減少効果が最大となる値の探索が必要と考え、プール径と軸受１の摩耗量との関係を調べる実験を試験機により行った。その結果を図６に示す。
【００２０】
なお、試験は、プール径について、200μm、150μm、100μm、75μm、50μmの５条件が比較できるように行った。この際、転走面１１におけるミクロプール１２の占める面積の割合である作用面積率は全て20％とし、切削方向は全て、後述する切削方向Ｂとなるようにし、ミクロプール１２は全て千鳥状に配置されているものとした。
【００２１】
図６に示すように、摩耗量はプール径が150μmの場合に最小となった。また、プール径が100〜200μmの間の摩耗量は、ミクロプール１２を備えていない場合の摩耗量の1/2となり、寿命の2倍化を達成した。
【００２２】
また、転走面１１におけるミクロプール１２の占める面積の割合である作用面積率が過大となると、ミクロプール１２内の油の流出量が増加し油の固化作用が減小することが想定される。また、作用面積率が過小となると、接触緩和作用が小さくなり、摩耗が大きくなることが想定される。このため、摩耗減少効果が最大となる値の探索が必要と考え、プール径と軸受１の摩耗量との関係を調べる実験を試験機により行った。その結果を図７に示す。
【００２３】
なお、試験は、作用面積率について、10％、20％、30％、40％の４条件が比較できるように行った。この際、プール径は全て150μmとし、切削方向は全て、後述する切削方向Ｂとなるようにし、ミクロプール１２は全て千鳥状に配置されているものとした。
【００２４】
図７に示すように、摩耗量は作用面積率20％の場合に最小となった。また、プール径が作用面積率15〜25％の間の摩耗量は、ミクロプール１２を備えていない場合の摩耗量の1/2となり、寿命の2倍化を達成した。つまり、作用面積率が15％以上25％以下となるようにミクロプール１２を形成することが好ましいことが分かった。
【００２５】
次に、切削方向の違いによる影響を調べた。切削加工後に発生する返りが油の固化作用に影響を及ぼすのではないかと考え、摩耗減少効果を高める切削方向の探索を行った。図８及び図９に示すことから理解されるように、ころ３の移動方向と切削方向とが逆側となる場合を、切削方向Ａとし、ころ３の移動方向と切削方向とが同じ側になる場合を、切削方向Ｂとした。この時、返りの高さはミクロプール径の0.01倍〜１倍程度であり、ミクロプールの大きさにもよるが、実用的には、0.05μｍ〜500μmである。なお、これらの返りの高さは、ミロプールの深さ測定と同様に粗度計により計測可能である。尚、粗度計は、例えば株式会社ミツトヨ製ＳＶ−３０００ＣＮＣを用いる。
【００２６】
なお、試験は、全てのミクロプール１２について、切削方向Ａとなるように統一して形成したもの（全てのミクロプール１２が、ころ３の移動方向側に返り１３が形成されるように切削されることで形成されたもの）と、全てのミクロプール１２について、切削方向Ｂとなるように統一して形成したものと、を比較できるように行った。この際、プール径は全て150μmとし、転走面１１におけるミクロプール１２の占める面積の割合である作用面積率は全て20％とし、ミクロプール１２は全て千鳥状に配置されているものとした。
【００２７】
図１０に示すことから理解されるように、切削方向Ｂを採用する場合と比べ、切削方向Ａを採用したほうが、転走面１１の軸方向の位置に関わらず、摩耗深さが小さかった。また、図１１に示すように、切削方向Ａの場合の摩耗体積は、切削方向Ｂの場合の摩耗体積の約半分となり、寿命の2倍化を達成した。
【００２８】
本発明を採用することにより、０．９ｒｐｍ以上２．３ｒｐｍ以下という低速回転であり、摩耗しやすい境界潤滑の状態であっても、軸受１の寿命を延ばすことができる。
【００２９】
以上、実施形態を中心として本発明を説明してきたが、本発明は上記実施形態に限定されることはなく、各種の態様とすることが可能である。
【符号の説明】
【００３０】
１      軸受
２      外輪
３      ころ
４      ロール
７      切削加工工具
１１    転走面
１２    ミクロプール
１３    返り
７１    切削用突起
７２    棒
【図１】
2020085024.tif 000003
【図２】
2020085024.tif 000004
【図３】
2020085024.tif 000005
【図４】
2020085024.tif 000006
【図５】
2020085024.tif 000007
【図６】
2020085024.tif 000008
【図７】
2020085024.tif 000009
【図８】
2020085024.tif 000010
【図９】
2020085024.tif 000011
【図１０】
2020085024.tif 000012
【図１１】
2020085024.tif 000013
【図１２】
2020085024.tif 000014